(57)【要約】【課題】  巻取装置によるシャッターの開き方を容易に調整・最適化できるようにする。【解決手段】  収納ボックス本体２の開口部３に対し、スライド式に開閉可能にシャッター４を取付けると共に、収納ボックス本体２とシャッター４との間に、シャッター４を開方向へ付勢する巻取装置１５を介装した車両用収納ボックスであって、収納ボックス本体２とシャッター４との間に、巻取装置１５によるシャッター４の開速度を減速させる減速機構２２が設けられ、減速機構２２が、互いに反発する磁極が近接されるよう配置された対の磁石２３，２４を備えるようにしている。【選択図】        図２
2005162020.tif 000002
【特許請求の範囲】
【請求項１】
収納ボックス本体の開口部に対し、スライド式に開閉可能にシャッターを取付けると共に、該収納ボックス本体とシャッターとの間に、シャッターを開方向へ付勢する巻取装置を介装した車両用収納ボックスであって、
収納ボックス本体とシャッターとの間に、巻取装置によるシャッターの開速度を減速させる減速機構が設けられ、該減速機構が、互いに反発する磁極が近接されるよう配置された対の磁石を備えたことを特徴とする車両用収納ボックス。
【発明の詳細な説明】
【技術分野】
【０００１】
この発明は、車両用収納ボックスに関するものである。
【背景技術】
【０００２】
自動車の車両には、車室内に各種の収納ボックスが設置されている。このような収納ボックスには、収納ボックス本体の開口部に対し、スライド式に開閉可能にシャッターを取付けた、スライドシャッター式のものがある（例えば、特許文献１、２参照）。スライドシャッター式の収納ボックスは、シャッターを手動操作で開けるものが一般的となっているが、収納ボックス本体とシャッターとの間に、シャッターを開方向へ付勢する巻取装置を介装することにより、シャッターが自動的に開くようにしたものも存在する。
【特許文献１】特開２００２−８７１６７号公報
【特許文献２】特開２００３−２０８５１号公報
【発明の開示】
【発明が解決しようとする課題】
【０００３】
しかしながら、上記巻取装置を備えたスライドシャッター式の収納ボックスでは、巻取装置によるシャッターの開き方を調整するのが難しいという問題があった。例えば、通常のダンパー装置を設けたのでは、開き始めから終わりまでシャッターの動きが一様にゆっくりしたものとなってしまうため、開閉式のリッドなどの開き方としては良くても、シャッターの開き方としては高級感を感じさせないものとなってしまう。
【課題を解決するための手段】
【０００４】
上記課題を解決するために、請求項１に記載された発明では、収納ボックス本体の開口部に対し、スライド式に開閉可能にシャッターを取付けると共に、該収納ボックス本体とシャッターとの間に、シャッターを開方向へ付勢する巻取装置を介装した車両用収納ボックスであって、収納ボックス本体とシャッターとの間に、巻取装置によるシャッターの開速度を減速させる減速機構が設けられ、該減速機構が、互いに反発する磁極が近接されるよう配置された対の磁石を備えた車両用収納ボックスを特徴としている。
【発明の効果】
【０００５】
請求項１の発明によれば、巻取装置の付勢力によってシャッターが自動的に開く過程で、互いに反発する磁極がほぼ向い合せとなった時にのみ、磁気反発力でシャッターの開速度を減速させるようにすることができる。即ち、開き始めから終わりまでの間のシャッターの開速度を、変化させることができる。よって、対の磁石の設置位置により、巻取装置によるシャッターの開き方を容易に調整・最適化することができる。
【発明を実施するための最良の形態】
【０００６】
巻取装置によるシャッターの開き方を容易に調整・最適化できるようにするという目的を、収納ボックス本体とシャッターとの間に、巻取装置によるシャッターの開速度を減速させる減速機構が設けられ、減速機構が、互いに反発する磁極が近接されるよう配置された対の磁石を備える、という手段で実現した。
【実施例】
【０００７】
以下、本発明を具体化した実施例について、図示例と共に説明する。
【０００８】
図１〜図３は、この発明の実施例を示すものである。
【０００９】
まず、構成を説明すると、車室内にスライドシャッター式の収納ボックス１を設置する。このスライドシャッター式の収納ボックス１は、収納ボックス本体２の開口部３に対し、スライド式に開閉可能にシャッター４を取付けた構成を備えている。収納ボックス本体２は、上面に開口部３を有する収納部５と、この収納部５の背面側に形成されたシャッター巻取空間６とを備えている。そして、収納ボックス本体２両側部における開口部３の上縁部からシャッター巻取空間６に掛けて左右一対のスライドレール８が設けられている。スライドレール８は、開口部３上縁の部分が、略直線状を呈している。また、スライドレール８は、シャッター巻取空間６の部分で湾曲している。シャッター４は、左右方向へ延びる短冊状のシャッター片１０を複数連接して構成されている。全てのまたは幾つかのシャッター片１０の両端部からはスライドレール８に沿ってスライドするガイド部１１が突設されている。シャッター４の手前側上面には、つまみ部材１２が突設されている。
【００１０】
そして、この収納ボックス本体２とシャッター４との間に、シャッター４を開方向へ付勢する巻取装置１５を介装して、シャッター４が自動的に開き得るようにする。巻取装置１５には、例えば、コイルバネ機構を用いる。コイルバネ機構は、シャッター巻取空間６内に左右方向へ延びる回転軸１７を介して回転可能に軸支されたドラム１８にコイルバネ１９を巻掛け、このコイルバネ１９の先端をシャッター４の奥側下面に接続した構成を備えている。
【００１１】
この実施例のものでは、収納ボックス本体２とシャッター４との間に、巻取装置１５によるシャッター４の開速度を減速させる減速機構２２を設ける。そして、この減速機構２２が、互いに反発する磁極が近接されるよう配置された対の磁石２３，２４を備えるようにする。
【００１２】
例えば、シャッター４の手前側下面に磁石２３を取付ける。そして、収納ボックス本体２の収納部５における奥側の縁部に別の磁石２４を取付ける。そして、例えば、シャッター４手前側下面の磁石２３のＳ極と、収納部５奥側縁部の磁石２４のＮ極とが近接されるようにする。更に、収納ボックス本体２の収納部５における手前側の縁部に、磁石２３に吸着可能な鉄板などの磁性体２５を取付ける。なお、シャッター４の手前側下面の磁石２３と磁性体２５とは、左右方向両側部近傍に全部で２箇所設けられ、収納部５奥側縁部の磁石２４は左右方向中央部に１箇所設けられている。但し、磁石２３，２４などの配置はこれに限るものではない。
【００１３】
次に、この実施例の作用について説明する。
【００１４】
収納ボックス本体２が閉じている時は、図２に示すように、シャッター４が開口部３の上方へ位置し、且つ、シャッター４の手前側下面の磁石２３と磁性体２５とが磁気吸着した状態となっている。
【００１５】
収納ボックス本体２を開けるには、つまみ部材１２を手で操作し、磁石２３と磁性体２５とを磁気吸着力に抗して引き離すようにする。すると、巻取装置１５の付勢力で、シャッター４がスライドレール８に沿って開口部３の上方からシャッター巻取空間６へとスライドされることにより、収納ボックス本体２が自動的に開き、図３に示す状態となる。
【００１６】
そして、シャッター４の手前側下面の磁石２３が収納部５奥側の縁部の磁石２４に近接するに従い、磁気反発力が強くなるため、巻取装置１５の付勢力が打ち消され、シャッター４の開速度が減速される。これにより、シャッター４は、開き始めからしばらくの間は一定速度で、終わり近くに減速するような動きをする。即ち、高級感のある開き方となる。
【００１７】
以上述べたように、この実施例では、シャッター４が開く過程で、互いに反発する磁極がほぼ向い合せとなった時にのみ、磁気反発力でシャッター４の開速度を減速させるようにすることができる。即ち、開き始めから終わりまでの間のシャッター４の開速度を、変化させることができる。よって、対の磁石２３，２４の設置位置により、巻取装置１５によるシャッター４の開き方を容易に調整・最適化することができる。
【００１８】
また、収納部５手前側の縁部に磁性体２５を取付けて、シャッター４の手前側下面の磁石２３を吸着させるようにすることにより、シャッター４閉時のロック機構とすることができる。よって、ラッチ装置などのロック機構を不要化することができる。そして、対の磁石２３，２４による減速機構２２を設けることにより、通常のダンパ機構などを不要化することができる。
【００１９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２０】
【図１】本発明の実施例の分解斜視図である。
【図２】シャッターが閉じた状態を示す側方断面図である。
【図３】シャッターが開いた状態を示す側方断面図である。
【符号の説明】
【００２１】
２    収納ボックス本体
３    開口部
４    シャッター
１５  巻取装置
２２  減速機構
２３  磁石
２４  磁石
【図１】
2005162020.tif 000003
【図２】
2005162020.tif 000004
【図３】
2005162020.tif 000005